(57)【特許請求の範囲】
【請求項１】
第１の取り付けブッシングおよび第２の取り付けブッシング、ならびに、第１の枢動ブッシングおよび第２の枢動ブッシングを含む側部プレートと、
前記第２の枢動ブッシングによって枢動可能に支持され、かつ、係合位置と解放位置との間で回転するように構成されたフックであって、ストライカを受け入れるように構成された受け入れ部を含むフックと、
前記第１の枢動ブッシングによって枢動可能に支持され、かつ、ロック状態とアンロック状態との間で回転するように構成されたロッキングポールであって、当該ロック状態にある場合に、前記フックが前記解放位置に向かって回転することを防止するように構成されたロッキングポールと、
前記第１の枢動ブッシングによって枢動可能に支持され、かつ、前記フックを係合位置に向けて回転させるように構成されたガタ防止カムと、
前記第２の取り付けブッシングによって枢動可能に支持され、かつ、前記フックを解放位置に向けて選択的に回転させるように構成されたトランスファプレートと
を備える、車両のシートのためのラッチ機構。
【請求項２】
請求項１記載のラッチ機構において、
前記ガタ防止カムが、前記ロッキングポールの回転経路に伸長する突起を含み、
前記ロッキングポールが、ロック状態からアンロック状態になるよう回転する際に、前記突起と接触し、この結果、当該接触により、前記ガタ防止カムが、前記ロッキングポールと同調して回転させられるように構成されているラッチ機構。
【請求項３】
請求項１記載のラッチ機構において、
前記フックが、当該フックから、前記受け入れ部に対して横方向に伸長するガタ防止ピンを含むラッチ機構。
【請求項４】
請求項３記載のラッチ機構において、
前記ガタ防止カムが、前記フックの前記ガタ防止ピンに対して力を加えるように構成されており、当該力によって、前記フックが、係合方向に向けて回転させられるラッチ機構。
【請求項５】
請求項３記載のラッチ機構において、
前記トランスファプレートには、スロットが形成されており、
前記ガタ防止ピンおよび前記第２の枢動ブッシングが、前記トランスファプレートに形成された前記スロットを介して伸長しているラッチ機構。
【請求項６】
請求項１記載のラッチ機構において、
前記ロッキングポールと前記トランスファプレートとの間に張り渡されたばねをさらに備え、
前記ばねにより、前記ロッキングポールが、ロック状態になるように回転させられるラッチ機構。
【請求項７】
請求項１記載のラッチ機構において、
前記ガタ防止カムと前記第１の取り付けブッシングとの間に配置されたばねをさらに備え、
前記ばねにより、前記ガタ防止カムが、前記フックに向けて回転させられるラッチ機構。
【請求項８】
請求項１記載のラッチ機構において、
前記ストライカが、前記車両の室内の床に固定されているラッチ機構。
【請求項９】
請求項１記載のラッチ機構において、
前記ストライカが、前記車両の前記シートに固定されているラッチ機構。
【請求項１０】
請求項１記載のラッチ機構において、
前記ロッキングポールが、使用者によって供給される力を受け、これにより、前記ロッキングポールがアンロック状態になるよう回転させられるように構成されているラッチ機構。
【請求項１１】
第１の取り付けブッシングおよび第２の取り付けブッシング、ならびに、第１の枢動ブッシングおよび第２の枢動ブッシングを含む側部プレートと、
前記第２の枢動ブッシングによって枢動可能に支持され、かつ、係合位置と解放位置との間で回転するように構成されたフックであって、ストライカを受け入れるように構成された受け入れ部を含むフックと、
前記第１の枢動ブッシングによって枢動可能に支持され、かつ、ロック状態とアンロック状態との間で回転するように構成されたロッキングポールであって、当該ロック状態にある場合に、前記フックが解放位置に向かって回転することを防止するように構成されたロッキングポールと、
前記第１の枢動ブッシングによって枢動可能に支持され、かつ、前記フックを係合位置に向けて回転させるように構成されたガタ防止カムと、
前記フックに選択的に接触し、かつ、前記第２の取り付けブッシングによって枢動可能に支持された、回転可能なトランスファプレートと、
前記回転可能なトランスファプレートと結合され、かつ、当該トランスファプレートを前記フックに接触させるように構成されたばねであって、前記トランスファプレートと前記フックとの前記接触により、前記フックが、解放位置に向けて回転させられるばねと
を備える、車両のシートのためのラッチ機構。
【請求項１２】
請求項１１記載のラッチ機構において、
前記ガタ防止カムが、前記ロッキングポールの回転経路に伸長する突起を含み、
前記ロッキングポールが、ロック状態からアンロック状態になるよう回転する際に、前記突起と接触し、この結果、当該接触により、前記ガタ防止カムが、前記ロッキングポールと同調して回転させられるように構成されているラッチ機構。
【請求項１３】
請求項１１記載のラッチ機構において、
前記フックが、当該フックから、前記受け入れ部に対して横方向に伸長するガタ防止ピンを含むラッチ機構。
【請求項１４】
請求項１３記載のラッチ機構において、
前記ガタ防止カムが、前記フックの前記ガタ防止ピンに対して力を加えるように構成されており、当該力によって、前記フックが、係合方向に向けて回転させられるラッチ機構。
【請求項１５】
請求項１３記載のラッチ機構において、
前記トランスファプレートには、スロットが形成されており、
前記ガタ防止ピンおよび前記第２の枢動ブッシングが、前記トランスファプレートに形成された前記スロットを介して伸長しているラッチ機構。
【請求項１６】
請求項１１記載のラッチ機構において、
前記ばねが、前記ロッキングポールと前記トランスファプレートとの間に張り渡されており、
前記ばねによってさらに、前記ロッキングポールがロック状態になるように回転させられるラッチ機構。
【請求項１７】
請求項１１記載のラッチ機構において、
前記ガタ防止カムと前記第１の取り付けブッシングとの間に配置された第２のばねをさらに備え、
前記第２のばねにより、前記ガタ防止カムが、前記フックに向けて回転させられるラッチ機構。
【請求項１８】
請求項１１記載のラッチ機構において、
前記ストライカが、前記車両の室内の床に固定されているラッチ機構。
【請求項１９】
請求項１１記載のラッチ機構において、
前記ストライカが、前記車両の前記シートに固定されているラッチ機構。
【請求項２０】
請求項１１記載のラッチ機構において、
前記ロッキングポールが、使用者によって供給される力を受け、これにより、アンロック状態になるよう前記ロッキングポールが回転させられるように構成されているラッチ機構。
【発明の詳細な説明】
【技術分野】
【０００１】
[0001]本発明は、一般に、自動車用シートアセンブリを車両に対して選択的に抑止するためのラッチ機構に関する。
【背景技術】
【０００２】
[0002]一部の自動車用シート構成では、１つ以上の、車室内搭乗者用シートアセンブリが、車体から選択的に切り離し可能であることが望ましい場合がある。例えば、バンまたはスポーツ用多目的車などの、複数の乗員向け車両では、積荷スペースを増やすために、二列目または三列目の搭乗者用シートの完全な取り外しおよび／または格納を行う場合がある。あるいは、二列目のシートの一端のみを、車両から選択的に切り離すことができることによって、二列目のシートが、車両の床から離れる方向に関節運動することができるようになり、三列目のシートへの着席または三列目のシートからの離席がより容易になり得る。
【０００３】
[0003]選択的な切り離しを実現するために、搭乗者用シートアセンブリは、車両の固定部と係合および／または結合するように構成されたラッチ機構を含むことができる。例えば、ラッチ機構は、車両の床に組み込まれ得る棒状のストライカと選択的に相互連結されるように構成されてもよい。一実施形態では、ストライカは、車両の床の表面の下に（井戸状チャネル（ｗｅｌｌ−ｌｉｋｅ  ｃｈａｎｎｅｌ）内などに）備え付けられてもよい。係合する場合、ラッチ機構は、シートアセンブリが車両から持ち上がったり、または分離したりすることを一般に防止するように、ストライカを把持する構成になっていてもよい。
【先行技術文献】
【特許文献】
【０００４】
【特許文献１】米国特許仮出願第６１／５６１，６０４号明細書
【発明の概要】
【課題を解決するための手段】
【０００５】
[0004]車両のシートのためのラッチ機構は、第１の取り付けブッシングおよび第２の取り付けブッシングならびに第１の枢動ブッシングおよび第２の枢動ブッシングを有する側部取り付けプレートと、フックと、ロッキングポール（ｌｏｃｋｉｎｇ  ｐａｗｌ）と、ガタ防止カム（ａｎｔｉ−ｒａｔｔｌｅ  ｃａｍ）と、回転可能なトランスファプレートとを含む。フックは、第２の枢動ブッシングによって枢動可能に支持されてもよく、係合位置と解放位置との間で回転するように構成されてもよい。フックは、ストライカを受け入れ、これを保持するように構成された受け入れ部を含んでいてもよい。ストライカを動かないようにすることによって、ラッチ機構は、ストライカを含む、車両の一部に選択的に固定されてもよい。例えば、ストライカが、床に固定されている場合、ラッチ機構は、床に選択的に固定されてもよい。あるいは、ストライカが、シートフレームの一部（例えば、折り畳み式バックシートの一部）に固定されている場合、ラッチ機構は、搭乗者を受け入れるのに適した位置にシートバックを強固にロックするために使用されてもよい。
【０００６】
[0005]ロッキングポールは、側部取り付けプレートの第１の枢動ブッシングによって枢動可能に支持されてもよく、ロック状態とアンロック状態との間で回転するように構成されてもよい。ロッキングポールは、ロック状態にある場合に、フックが解放位置に向かって回転することを防止するように構成されてもよい。ガタ防止カムは、同様に、第１の枢動ブッシングによって枢動可能に支持されてもよく、フックと接触する際に、フックを係合位置に向けて回転させるように構成されてもよい。
【０００７】
[0006]回転可能なトランスファプレートは、フックと選択的に接触するようになっていてもよく、フックを解放位置に向けて回転させるようになっていてもよい。ばねは、回転可能なトランスファプレートと結合されてもよく、トランスファプレートをフックに接触させるように構成されていてもよい。トランスファプレートとフックとのこのような接触により、フックが回転させられてもよい。
【０００８】
[0007]一構成では、ガタ防止カムは、ロッキングポールの回転経路に伸長する突起を含む。このように、ロッキングポールは、ロック状態からアンロック状態になるよう回転する際に、突起と接触し、この結果、この接触により、ガタ防止カムがロッキングポールと同調して回転させられるように構成されてもよい。
【０００９】
[0008]フックは、当該フックから、受け入れ部に対して横方向に伸長するガタ防止ピンを含んでもよい。ガタ防止カムにより、フックのガタ防止ピンに対して力が加えられることによって、フックが、係合方向に向けて回転させられてもよい。一構成では、トランスファプレートには、スロットが形成されており、ガタ防止ピンおよび第２の枢動ブッシングは、このスロットを介して伸長するように構成されている。
【００１０】
[0009]ばねが、ロッキングポールとトランスファプレートとの間に張り渡されており、このばねにより、ロッキングポールがロック状態になるように回転させられていてもよい。第２のばねが、ガタ防止カムと第１の取り付けブッシングとの間に配置されてもよく、この第２のばねにより、ガタ防止カムが、フックに向けて回転させられてもよい。
【図面の簡単な説明】
【００１１】
【図１】車室の床と枢動可能に結合され得る、車両用シートアセンブリの一部のフレーム部材の概略斜視図である。[0010]
【図２Ａ】ストライカに隣接している、解放状態にあるラッチ機構の概略側面図である。[0011]
【図２Ｂ】ストライカとの係合状態にある、図２Ａのラッチ機構の概略側面図である。[0012]
【図３Ａ】ラッチ機構の側部プレートの概略側面図である。[0013]
【図３Ｂ】ラッチ機構のフックの概略側面図である。[0014]
【図３Ｃ】ラッチ機構のトランスファプレートの概略側面図である。[0015]
【図３Ｄ】ラッチ機構の構造ロッキングポールの概略側面図である。[0016]
【図３Ｅ】ラッチ機構のガタ防止カムの概略側面図である。[0017]
【発明を実施するための形態】
【００１２】
[0018]自動車用シートのためのラッチ機構の実施形態は、２０１１年１１月１８日に提出された米国特許仮出願第６１／５６１，６０４号明細書に記載されている。なお、本明細書の全体は、参照によって本明細書に組み込まれる。以下に記載するラッチ機構の実施形態は、米国特許仮出願第６１／５６１，６０４号明細書に記載されているものと同様であってもよい。
【００１３】
[0019]様々な図において同じまたは同一の構成要素を識別するために同じ参照符号が使用されている図面を参照すると、図１は、車両用シートアセンブリのフレーム部材１０を概略的に示している。フレーム部材１０は、一般に、枢動機構１２、ラッチ機構１４、および取り付けブラケット１６を含んでいる。フレーム部材１０は、シートアセンブリの他の部品を固定することのできる複数の取り付け点（例えば、穴１８）をさらに含んでいてもよい。一構成では、取り付け点の一部は、車両の搭乗者が座ることのできる下部シートクッション（図示せず）を固定するために使用されてもよい。図１は、ただ１つのフレーム部材のみを示しているが、第２のフレーム部材を、１本以上の連結棒２０を介して、鏡像的に配置された第１のフレーム部材１０と結合することができる。
【００１４】
[0020]一構成では、取り付けブラケット１６は、取り付け穴２２を含むことができる。取り付け穴２２において、ブラケット１６は、例えば１つ以上のボルトまたはねじを用いて、車両の床に強固に固定され得る。強固に抑止された取り付けブラケット１６とは全く反対に、ラッチ機構１４は、使用者の意図次第で自由に、車両との結合／車両からの切り離しを行うことができるようになっていてもよい。例えば、シートアセンブリは、解放レバーまたは解放ハンドル（図示せず）を含むことができる。解放レバーまたは解放ハンドルは、ラッチ機構が車両に組み込まれている抑止機構から外されるようにするために、使用者により駆動されてもよい。さらに、ラッチ機構１４と抑止機構との間の適度な接触力（すなわち、重力によってもたらされ得る力など）によって、ラッチ機構１４を、抑止機構を介して車両と係合／結合させることができる。
【００１５】
[0021]枢動機構１２によって、フレームアセンブリの部分２４が、強固に抑止された取り付けブラケット１６を基準にして、全体的に枢動することが可能になり得る。一般に、枢動機構１２およびラッチ機構１４は、シートアセンブリの実質的な部分が車両の床から離れる方向に関節運動することが可能になるように、フレーム部材１０の両端に配置することができる。このように、例えば、二列目の車両用シートを、前方に枢動させることによって、三列目の車両用シートへの出入りをより容易にすることができる。別の構成では、枢動機構１２および取り付けブラケット１６は、第２のラッチ機構（例えば、ラッチ機構１４と同様の）、または、単に固定のフック／ラッチに置き換えられてもよい。この態様では、シートアセンブリは、使用者の意図次第で、車両から完全に取り外すことができる。
【００１６】
[0022]フレーム部材１０は、１つ以上の剛性側壁（例えば、壁２６、２８）を含むことができる。１つ以上の剛性側壁が、互いに結合されることによって、例えば、ボックスチャネル（ｂｏｘ−ｃｈａｎｎｅｌ）またはＣチャネル（Ｃ−ｃｈａｎｎｅｌ）が形成され得る。側壁は、１つ以上のねじ、ボルト、リベット、溶接、または他の周知の構造固定手段を用いて、固定されてもよい。あるいは、押し出しボックスチャネル、スタンプチャネル（ｓｔａｍｐｅｄ  ｃｈａｎｎｅｌ）、または他の一体成形の構造部材が、同様に使用されてもよい。一構成では、ラッチ機構１４は、１つ以上のねじまたはボルト（例えば、取り付けボルト３０、３２）を用いてフレーム部材１０の側壁に固定することのできる個別部品であってもよい。
【００１７】
[0023]図２Ａおよび図２Ｂは、車両の抑止機構と係合するように構成され得るラッチ機構１４の実施形態を概略的に示している。図示されているように、抑止機構は、棒状のストライカ４０であってもよい。棒状のストライカ４０は、一般に、ラッチ機構１４に直交していてもよい。明確にするために、図３Ａ〜図３Ｅは、図２Ａ〜図２Ｂに示されているラッチ機構１４のいくつかの部品を示している。
【００１８】
[0024]ラッチ機構１４は、一般に、機構部品の多くを取り付けることのできる少なくとも１つの側部プレート５０（図３Ａ）を含むことができる。このような機構部品として、一般に、ストライカ４０との係合／ストライカ４０の受け入れを直接行うように構成されたフック７０（図３Ｂ）と、一般にフックを解放状態にするように構成されたトランスファプレート８０（図３Ｃ）と、構造ロッキングポール９０（図３Ｄ）と、ガタ防止カム１００（図３Ｅ）とが挙げられる。一構成では、第２の側部プレート（図示せず）は、フック７０、トランスファプレート８０、ロッキングポール９０、およびガタ防止カム１００が、実質的に２つの側部プレート間に配置され得るように、図示されている側部プレート５０に対向するよう配置されてもよい。全体的に取り囲まれた機構（例えば、２つの対向する側部プレートによって形成することのできる機構）を提供することは、ごみ、くず、および／または他の物体が、機構内に進入することおよび／または機構の妨げとなることの防止に役立つことができ、さらには、様々な部品を支持するのにも役立つことができる。
【００１９】
[0025]図３Ａに全体的に示されているように、側部プレート５０は、第１の取り付けブッシング５２および第２の取り付けブッシング５４、ならびに、第１の枢動ブッシング５６および第２の枢動ブッシング５８を含むことができる。取り付けブッシング５２、５４のそれぞれは、それぞれ、取り付けボルト３０、３２のそれぞれを収容するための開口５３、５５を形成することができる。第１の枢動ブッシング５６および第２の枢動ブッシング５８は、それぞれ、以下に記載するように、１つ以上の機構部品を枢動可能に支持するように構成されていてもよい。一構成では、枢動ブッシング５６、５８は、目に見えて変形するまでにかなりの荷重に耐えることのできる固い芯（ｓｏｌｉｄ  ｃｏｒｅ）を有していてもよい。側部プレート５０は、さらに開口６０を形成していてもよい。開口６０は、一般に、ストライカ４０が機構部品とより完全に連絡することを可能にすることができる。
【００２０】
[0026]図２Ａおよび図２Ｂに全体的に示されているように、第１の枢動ブッシング５６は、構造ロッキングポール９０およびガタ防止カム１００の双方を枢動可能に支持することができる。図示されているように、ポール９０およびカム１００は、それぞれ、ブッシング５６の中心とほぼ一致する回転軸６２を有することができる。同様に、第２の枢動ブッシング５８は、フック７０が枢動ブッシング５８の中心とほぼ一致する回転軸６４を中心に回転できるように、フック７０を枢動可能に支持することができる。最後に、第２の取り付けブッシング５４は、トランスファプレート８０が取り付けブッシング５４の中心とほぼ一致する回転軸６６を中心に回転できるように、トランスファプレート８０を支持することができる。
【００２１】
[0027]フック７０は、ストライカ４０との係合、および、これの受け入れを行うように構成された受け入れ部７２を形成することができる。より詳しく言うと、図２Ａに示されているように、ラッチ機構１４が解放状態にある場合、フックの受け入れ部７２は、全体的に、側部プレート５０から離れる方向を向くことができる。ラッチ機構１４が、車両の床に向けて下げられると、フック７０は、ストライカ４０と接触することができ、回転軸６４を中心に時計回り（ロッキング）方向に回転させられ得る。この回転（つまり、図２Ｂの状態への移行）の間、ストライカ４０は、フックの受け入れ部７２内へより深く引き込まれ得る一方で、フック７０のラッチ部７４は、ストライカ４０の下側と係合する。
【００２２】
[0028]フック７０によって、ストライカ４０が一旦受け入れられると、図２Ｂに図示されているように、ラッチ機構１４は、フック７０が反時計回り方向に回転して、車両の床から垂直方向に持ち上がらないように防止され得る。このような回転は、ガタ防止カム１００とこれに対応するガタ防止ピン７６との物理的干渉によって、防止され得る。なお、ガタ防止ピン７６は、フック７０の側部から突き出ていてもよい。フック７０の反時計回りの回転は、構造ロッキングポール９０の接触面９２と、フック７０の同様のロッキング面７８との物理的干渉によって、さらに防止され得る。
【００２３】
[0029]図２Ｂに示されているように、ロック形態にある場合、ロッキングポール９０の接触面９２は、フック７０のロッキング面７８からわずかに離間されていてもよい。このように、ポール９０は、ガタ防止カム１００が壊れた場合に、二次的な抑止装置として使用され得る。一実施形態では、ガタ防止カム１００は、所定の閾値を超える荷重を受けた場合に壊れるよう、故意に設計されてもよい。したがって、このような事例では、構造ロッキングポール９０は、荷重閾値を超えた場合の主要なロッキング装置として頼られ得る。
【００２４】
[0030]ガタ防止カム１００および構造ロッキングポール９０は、それぞれ、別個の付勢装置によって、時計回り（ロッキング）方向に付勢され得る。図示されているように、ガタ防止カム１００は、第１の取り付けブッシング５２に対して反力をかけることのできるトーションばね１１０によって、時計回り方向に回転するように付勢され得る。トーションばね１１０は、例えば、カム１００の一部に引っ掛けられてもよい。これらとは別に、構造ロッキングポール９０は、トランスファプレート８０に張り渡された線形コイルばね１１２によって、時計回り方向に回転するように付勢されていてもよい。
【００２５】
[0031]ロッキングプロセスの間、図２Ｂに示されているように、ガタ防止カム１００の時計回りの回転（トーションばね１１０の付勢による）によって、カム１００の傾斜面１０２は、フック７０のガタ防止ピン７６と接触させられ、これに対して力をかけさせられ得る。この力は、フック７０を時計回り（ロッキング）方向にさらに回転させ、フック７０をして、側部プレート５０に向かってストライカ４０を締め付けさせることができる。ストライカ４０に向けてフック７０にしっかりと荷重をかけることによって、通常はフック７０によって拾われ、および／または伝達され得ていた任意の振動および／またはガタを、軽減するか、または除去することができる。
【００２６】
[0032]解放プロセスの間、図２Ａに全体的に示されているように、使用者によって供給される力１１４は、構造ロッキングポール９０を反時計回り（解放）方向に回転させて、構造ロッキングポール９０に線形コイルばね１１２の時計回り（ロッキング）の力を相殺させることができる。構造ロッキングポール９０が、回転／解放し始めると、ポール９０の一部は、ガタ防止カム１００に備わる干渉部（ｉｎｔｅｒｆｅｒｅｎｃｅ）１０４と接触して、同様にカム１００を反時計回りに回転させることができる。ガタ防止カム１００の干渉部１０４は、例えば、突起、ペグ（ｐｅｇ）、折り重なったタブ（ｆｏｌｄｅｄ  ｏｖｅｒ  ｔａｂ）、フック、または任意の同様の非結合干渉部であってもよい。使用者によって供給される力１１４は、例えば、シートクッションに隣接するレバー／ハンドルと結合されたプルケーブルによってもたらされてもよいが、使用者によって供給される力１１４は、トーションばね１１０および線形ばね１１２のばね力に打ち勝つのに十分な強さであるべきである。
【００２７】
[0033]先に言及したように、トランスファプレート８０は、第２の取り付けブッシング５４に枢動可能に取り付けることができ、線形コイルばね１１２によって、反時計回り（解放）方向に回転させられ得る。第２のトーションばね１１６は、トランスファプレート８０を反時計回り（解放）方向にさらに回転させることができる一方で、第２の枢動ブッシング５８に対して反力を加える。
【００２８】
[0034]トランスファプレート８０は、フック７０のガタ防止ピン７６および第２の枢動ブッシング５８の双方の収容および／または受け入れを行うように構成され得るスロット８２を含むことができる。図２Ａのように解放状態にある場合、トランスファプレート８０は、ガタ防止ピン７６を介して、フック７０に反時計回り（解放）の力を加えることができる。この力によって、フック７０は、フック７０がストライカ４０を容易に受け入れることができるような位置に向かって十分に回転させられ得る。しかしながら、フック７０が過度に回転するのを防止するために、フック７０の表面７９は、取り付けブッシング５４に接触して、フックの完全な回転を制限するように構成され得る。あるいは、１つ以上のタブ、ポスト（ｐｏｓｔ）、または他の同様の突起が、フック７０が反時計回り方向に過度に回転することを制限するために、側部プレート５０から伸長していてもよい。
【００２９】
[0035]一構成では、ストライカ４０を受け入れる前の状態において、トランスファプレート８０の表面８４が、フック７０の端からわずかに出るようにしてもよい。この結果、ストライカ４０が、フック７０によって受け入れられる際、ストライカ４０は、表面８４がフック７０と実質的に同一面となるまで、トランスファプレート８０を時計回りに回転させることができる。この回転によって、トランスファプレート８０が、ガタ防止ピン７６と接触しなくなる一方で、さらに、ストライカ４０に対して、弾性的なばね荷重力が加えられる。前記別の方法では、ストライカ４０は、トランスファプレート８０にかかるトーションばね１１６および線形ばね１１２の力との均衡を保つことができる。したがって、トランスファプレート８０を介して加えられた、フック７０にかかる反時計回りの力を取り除くことによって、ガタ防止カム１００は、存在するトルクに打ち勝つ必要なく、より効果的にフック７０を締め付けることが可能になり得る。
【００３０】
[0036]最初はフック７０から出ている表面８４によって、ストライカ４０の進入を阻むことができるが、他の構成では、ストライカ４０の受け入れ前の状態で、トランスファプレート８０の表面８４が、フック７０とほぼ整列していてもよいし、または、フック７０の上方に配置されていてもよい。オフセット回転軸６４、６６のおかげで、フック７０から反時計回りの荷重を取り除くために、ガタ防止ピン７６とトランスファプレート８０とが、同様に分離され得る。
【００３１】
[0037]ラッチ機構１４に関する現在の説明は、概ね、フレーム部材と車両の床とを選択的に結合することのできる床ラッチ（つまり、ストライカが車両の床に固定されている場合）に関して行われているが、ラッチ１４は、他の車両用シートの用途にも同様に使用され得る。例えば、一構成では、ラッチ機構１４は、シートアセンブリのバックフレームとシートフレームの下部とを選択的に結合するために使用されてもよい（つまり、バックフレームが、下部シートフレームに対して、実質的に垂直の位置から実質的に水平の位置に倒され得る場合など）。このような構成では、ストライカは、車両のシートに固定されてもよい。別の構成では、ラッチ機構１４は、シートアセンブリのバックフレームと、車両のフレーム（セダンの折り畳み式リアシートなど）とを結合するために使用されてもよい（つまり、トランクへの荷物の通り抜けを可能にする）。このように、ラッチ機構１４の構造は、車両内の任意の１つの特定の用途に限定されるべきではない。
【００３２】
[0038]本発明を実施するための最良の態様について詳細に説明してきたが、本発明が関する技術分野を良く知る当業者は、添付の特許請求の範囲内で本発明を実施するための様々な他の設計および実施形態を認めるであろう。すべての方向に関する言及は、示されている図面の説明を明確にするためにのみ含まれていることが意図されている。このような言及は、何かしらの必然的な方向性または他の制限を、特許請求された発明の構造に対して与えるものとして読み取られるべきではない。上記の説明に含まれるか、または、添付図面に示されているすべての物は、例示としてのみ解釈されるべきであり、限定として解釈されるべきではない。
〔態様１〕
第１の取り付けブッシングおよび第２の取り付けブッシング、ならびに、第１の枢動ブッシングおよび第２の枢動ブッシングを含む側部プレートと、
前記第２の枢動ブッシングによって枢動可能に支持され、かつ、係合位置と解放位置との間で回転するように構成されたフックであって、ストライカを受け入れるように構成された受け入れ部を含むフックと、
前記第１の枢動ブッシングによって枢動可能に支持され、かつ、ロック状態とアンロック状態との間で回転するように構成されたロッキングポールであって、ロック状態にある場合に、前記フックが前記解放位置に向かって回転することを防止するように構成されたロッキングポールと、
前記第１の枢動ブッシングによって枢動可能に支持され、かつ、前記フックを係合位置に向けて回転させるように構成されたガタ防止カムと、
前記第２の取り付けブッシングによって枢動可能に支持され、かつ、前記フックを解放位置に向けて選択的に回転させるように構成されたトランスファプレートと
を備える、車両のシートのためのラッチ機構。
〔態様２〕
態様１記載のラッチ機構において、
前記ガタ防止カムが、前記ロッキングポールの回転経路に伸長する突起を含み、
前記ロッキングポールが、ロック状態からアンロック状態になるよう回転する際に、前記突起と接触し、この結果、当該接触により、前記ガタ防止カムが、前記ロッキングポールと同調して回転させられるように構成されているラッチ機構。
〔態様３〕
態様１記載のラッチ機構において、
前記フックが、当該フックから、前記受け入れ部に対して横方向に伸長するガタ防止ピンを含むラッチ機構。
〔態様４〕
態様３記載のラッチ機構において、
前記ガタ防止カムが、前記フックの前記ガタ防止ピンに対して力を加えるように構成されており、当該力によって、前記フックが、係合方向に向けて回転させられるラッチ機構。
〔態様５〕
態様３記載のラッチ機構において、
前記トランスファプレートには、スロットが形成されており、
前記ガタ防止ピンおよび前記第２の枢動ブッシングが、前記トランスファプレートに形成された前記スロットを介して伸長しているラッチ機構。
〔態様６〕
態様１記載のラッチ機構において、
前記ロッキングポールと前記トランスファプレートとの間に張り渡されたばねをさらに備え、
前記ばねにより、前記ロッキングポールが、ロック状態になるように回転させられるラッチ機構。
〔態様７〕
態様１記載のラッチ機構において、
前記ガタ防止カムと前記第１の取り付けブッシングとの間に配置されたばねをさらに備え、
前記ばねにより、前記ガタ防止カムが、前記フックに向けて回転させられるラッチ機構。
〔態様８〕
態様１記載のラッチ機構において、
前記ストライカが、前記車両の室内の床に固定されているラッチ機構。
〔態様９〕
態様１記載のラッチ機構において、
前記ストライカが、前記車両の前記シートに固定されているラッチ機構。
〔態様１０〕
態様１記載のラッチ機構において、
前記ロッキングポールが、使用者によって供給される力を受け、これにより、前記ロッキングポールがアンロック状態になるよう回転させられるように構成されているラッチ機構。
〔態様１１〕
第１の取り付けブッシングおよび第２の取り付けブッシング、ならびに、第１の枢動ブッシングおよび第２の枢動ブッシングを含む側部プレートと、
前記第２の枢動ブッシングによって枢動可能に支持され、かつ、係合位置と解放位置との間で回転するように構成されたフックであって、ストライカを受け入れるように構成された受け入れ部を含むフックと、
前記第１の枢動ブッシングによって枢動可能に支持され、かつ、ロック状態とアンロック状態との間で回転するように構成されたロッキングポールであって、ロック状態にある場合に、前記フックが解放位置に向かって回転することを防止するように構成されたロッキングポールと、
前記第１の枢動ブッシングによって枢動可能に支持され、かつ、前記フックを係合位置に向けて回転させるように構成されたガタ防止カムと、
前記フックに選択的に接触する回転可能なトランスファプレートと、
前記回転可能なトランスファプレートと結合され、かつ、当該トランスファプレートを前記フックに接触させるように構成されたばねであって、前記トランスファプレートと前記フックとの前記接触により、前記フックが、解放位置に向けて回転させられるばねと
を備える、車両のシートのためのラッチ機構。
〔態様１２〕
態様１１記載のラッチ機構において、
前記ガタ防止カムが、前記ロッキングポールの回転経路に伸長する突起を含み、
前記ロッキングポールが、ロック状態からアンロック状態になるよう回転する際に、前記突起と接触し、この結果、当該接触により、前記ガタ防止カムが、前記ロッキングポールと同調して回転させられるように構成されているラッチ機構。
〔態様１３〕
態様１１記載のラッチ機構において、
前記フックが、当該フックから、前記受け入れ部に対して横方向に伸長するガタ防止ピンを含むラッチ機構。
〔態様１４〕
態様１３記載のラッチ機構において、
前記ガタ防止カムが、前記フックの前記ガタ防止ピンに対して力を加えるように構成されており、当該力によって、前記フックが、係合方向に向けて回転させられるラッチ機構。
〔態様１５〕
態様１３記載のラッチ機構において、
前記トランスファプレートには、スロットが形成されており、
前記ガタ防止ピンおよび前記第２の枢動ブッシングが、前記トランスファプレートに形成された前記スロットを介して伸長しているラッチ機構。
〔態様１６〕
態様１１記載のラッチ機構において、
前記ばねが、前記ロッキングポールと前記トランスファプレートとの間に張り渡されており、
前記ばねによってさらに、前記ロッキングポールがロック状態になるように回転させられるラッチ機構。
〔態様１７〕
態様１１記載のラッチ機構において、
前記ガタ防止カムと前記第１の取り付けブッシングとの間に配置された第２のばねをさらに備え、
前記第２のばねにより、前記ガタ防止カムが、前記フックに向けて回転させられるラッチ機構。
〔態様１８〕
態様１１記載のラッチ機構において、
前記ストライカが、前記車両の室内の床に固定されているラッチ機構。
〔態様１９〕
態様１１記載のラッチ機構において、
前記ストライカが、前記車両の前記シートに固定されているラッチ機構。
〔態様２０〕
態様１１記載のラッチ機構において、
前記ロッキングポールが、使用者によって供給される力を受け、これにより、アンロック状態になるよう前記ロッキングポールが回転させられるように構成されているラッチ機構。
【図１】
0006001413.tif 000002
【図２Ａ】
0006001413.tif 000003
【図２Ｂ】
0006001413.tif 000004
【図３Ａ】
0006001413.tif 000005
【図３Ｂ】
0006001413.tif 000006
【図３Ｃ】
0006001413.tif 000007
【図３Ｄ】
0006001413.tif 000008
【図３Ｅ】
0006001413.tif 000009